(57)【要約】【課題】例えば家具のフラップドアの縁と家具エレメントの壁のそれぞれの縁が実質的に互いに面一をなすようにするヒンジを提供する。【解決手段】家具のフラップドア用のヒンジは、家具のベース（Ｂ）又は頂壁（Ｔ）の内面に固定された第１の中空本体（10）及びフラップドア（Ａ）の内面に固定された第２の中空本体（11）を有し、第１の本体と第２の本体は、１対のレバー（23）及びレバー（24）によって互いに連結され、レバー（23，24）は、これら本体及び中間調節ブロック（18）に枢着されている。フラップドア（Ａ）の底端部及び上端部は、フラップドアの開閉動作中、それぞれ、家具のベース（Ｂ）の底面の上方に且つ家具の頂壁（Ｔ）の上面の下方に位置したままであるようになっている。【選択図】図３
2012207524.tif 000002
【特許請求の範囲】
【請求項１】
家具のフラップドア用のヒンジであって、前記フラップドアは、家具内部へのアクセスを可能にする実質的に平行な開放位置及び実質的に垂直な閉鎖位置に達するために水平軸線回りに回ることができ、前記ヒンジは、前記家具のベース（Ｂ）又は頂壁（Ｔ）の内面に固定された第１の中空本体（１０）と、前記フラップドア（Ａ）の内面に固定された第２の中空本体（１１）と、を有し、
前記ヒンジの前記第１の本体及び前記第２の本体は、互いに平行な１対のレバー（２３）及び前記１対のレバー（２３）の間に配置されたレバー（２４）によって連結され、前記レバー（２３，２４）は、前記第１の本体（１０）及び前記第２の本体（１１）に枢着されると共にそれぞれ中間調節ブロック（１８）にも枢着され、前記フラップドア（Ａ）の底端部及び上端部は、前記フラップドアの開閉動作中、前記家具の前記ベース（Ｂ）の底面の上方及び前記家具の前記頂壁（Ｔ）の上面の下方にそれぞれ位置したままであるようになっている、家具のフラップドア用ヒンジ。
【請求項２】
前記１対のレバー（２３）は、２本の真っ直ぐなレバーで形成され、前記レバー（２４）は、湾曲した形状を有し、或いは、前記１対のレバー（２３）は、２本の湾曲したレバーで形成され、前記レバー（２４）は、真っ直ぐな形状を有する、請求項１記載の家具のフラップドア用ヒンジ。
【請求項３】
前記レバー（２３）の一端部は、前記調節ブロック（１８）に固定されたピボット（２５）に枢着され、前記レバー（２３）の反対側の端部は、前記ヒンジの前記第２の本体（１１）に固定されたピボット（２８）に枢着され、前記レバー（２４）の一端部は、前記ヒンジの前記第２の本体（１１）に固定されたピボット（３０）に枢着され、前記レバー（２４）の前記反対側の端部は、前記ヒンジの前記第１の本体（１０）に固定されたピボット（３１）に枢着されている、請求項２記載の家具のフラップドア用ヒンジ。
【請求項４】
前記ピボット（２８）は、常時、前記固定ピボット（２５）よりも低い高さ位置に位置していて、制限された円弧に沿って同一の前記ピボット（２５）回りに旋回し、前記ピボット（３０）は、端部が前記固定ピボット（２５）の高さ位置よりも常時低い高さ位置にある円弧に沿って前記固定ピボット（３１）回りに旋回する、請求項３記載の家具のフラップドア用ヒンジ。
【請求項５】
前記第１及び前記第２の本体（１０，１１）は、これらのそれぞれの側壁に孔（１６，１７）を備え、前記孔は、互いに向かい合っており、前記調節ブロック（１８）は、前記孔（１６，１７）を貫通して前記第１及び前記第２の本体（１０，１１）のキャビティ内に保たれる、請求項１〜４のうちいずれか一に記載の家具のフラップドア用ヒンジ。
【請求項６】
前記調節ブロック（１８）は、少なくともねじ（２０）によって前記第１の本体（１０）に固定されるとともに受座（２１）を備え、前記ねじ（２２）は、前記ヒンジを調節するために嵌まり込む、請求項１〜５のうちいずれか一に記載の家具のフラップドア用ヒンジ。
【請求項７】
前記第１の本体（１０）内には調節ねじ（２２）が配置され、前記調節ねじは、前記第１の本体（１０）の表面部分（３７）と協働することができる箇所（３６）を備え、前記表面は、前記第１の本体（１０）と前記第２の本体（１１）の相互離脱が阻止されるよう凹んでおり又は波形になっている、請求項１〜６のうちいずれか一に記載の家具のフラップドア用ヒンジ。
【請求項８】
前記ねじ（２０，２２）を閉鎖保護するカバー（３３）が前記第１の本体（１０）内にヒンジ留めされている、請求項１〜７のうちいずれか一に記載の家具のフラップドア用ヒンジ。
【発明の詳細な説明】
【技術分野】
【０００１】
本発明は、家具のフラップドア用、特に壁掛け家具エレメント用、更に積み重ね型家具エレメント及び床置き家具エレメント用の改良型ヒンジに関する。
【背景技術】
【０００２】
周知のように、家具エレメントは、閉鎖フラップ又はドアを備えている場合があり、かかる閉鎖フラップ又はドアは、家具の側壁にヒンジ留めされ、垂直軸線回りに回転することにより開き、或いは、フラップは、家具エレメントの下壁（ベース）又は上壁（頂部）にヒンジ留めされていて、水平軸線回りに回転することにより開く。
【０００３】
本発明は、この第２の形式のフラップドアに関する。一例は、英国特許第１３７４６６１号明細書に示されている。
【先行技術文献】
【特許文献】
【０００４】
【特許文献１】英国特許第１３７４６６１号明細書
【発明の概要】
【発明が解決しようとする課題】
【０００５】
フラップドアに関する主要な課題のうちの１つは、ドアの縁と家具エレメントの壁のそれぞれの縁が実質的に互いに面一をなすよう家具エレメントの閉鎖を可能にし、ドアの縁が家具壁と面一をなす位置を開放状態で提供することにある。これらの条件は、ドアと家具壁との間の表面に隙間が生じないよう閉鎖状態と開放状態の両方においてドアの正確な位置決めを保証するよう満たされなければならない。特に、ドアの開放位置又は閉鎖位置において家具エレメントの下又は上へのドアの縁の突き出しにより、ユーザにとって幾つかの問題が生じる場合がある。
【０００６】
フラップドアに関するもう１つの課題は、ヒンジをドアの本体内及び家具エレメントの壁内に完全に埋め込んで物体が家具エレメント内に収納され又はこれから取り出されるときに物体の運動に対して障害物とならないようにすることにある。
【０００７】
フラップドアに関するもう１つの課題は、特にドア及びドアがヒンジ留めされている家具エレメントが当然のことながら或る特定の限度内で互いに異なる厚さのものである場合、この種のドアを備えた家具エレメントの積み重ね又は床上へのこれらの設置を可能にすることにある。
【０００８】
フラップドアに関する別の課題は、ほこりと汚れが締結ねじ、特に調節ねじ上に積もって衛生上及び機能上の問題を生じさせる恐れをなくすようヒンジを密閉することにある。
【課題を解決するための手段】
【０００９】
かくして、本発明の主目的は、上述の課題を解決するフラップドア用改良型ヒンジを提供することにある。これら目的及び他の目的は、本願の請求項１に記載された特徴を有するヒンジで達成される。
【００１０】
本発明のヒンジのそれ以上の細部は、従属形式の請求項に特定されている。
【００１１】
本発明の特徴及び利点は、添付の図を参照して非限定的な例として与えられる実施形態の以下の説明から明らかになろう。
【図面の簡単な説明】
【００１２】
【図１】本発明のヒンジの斜視図である。
【図２】図１のヒンジの分解組立て図である。
【図３】ドアが本発明のヒンジを備えた家具に連結された完全開放位置にある状態の家具エレメントの部分断面側面図である。
【図４】ドアが開放位置と閉鎖位置との中間の２つの互いに異なる動作位置にある状態の図３の家具エレメントの側面断面図である。
【図５】ドアが開放位置と閉鎖位置との中間の２つの互いに異なる動作位置にある状態の図３の家具エレメントの部分断面図である。
【図６】ドアが完全閉鎖位置にある図３の家具エレメントの部分断面側面図である。
【発明を実施するための形態】
【００１３】
特に図１及び図２を参照すると、本発明のヒンジは、家具エレメントの下壁又はベースＢの内面に締結された第１の本体１０及び家具エレメントのドアＡの内面に締結された第２の本体１１を有している。第１の本体と第２の本体は、ドアの開閉を可能にするよう第２の本体が第１の本体に対して回転することができ又は第１の本体が第２の本体に対して回転することができるよう互いに連結されている。
【００１４】
本明細書において説明する解決手段は、開放位置まで上方に回転するよう家具エレメントのベース（Ｂ）のところにヒンジ留めされたフラップドアに関する。当然のことながら、この解決手段は、閉鎖位置に向かって下方に回転するよう家具エレメントの頂壁（Ｔ）にヒンジ留めされたドアにも同様に利用できる。
【００１５】
第１の本体１０は、好ましくは、中空円筒形部分を有し、この中空円筒形部分は、家具エレメントのベースＢに形成された対応の形状の受座内に挿入される。第１の本体の円筒形部分は、互いに直径方向反対側に且つ本体の軸線と直交した２つのウイング１２を備え、ウイングの各々には、第１の本体のベースＢに締結するために用いられる少なくとも１本のねじ（図示せず）のための貫通穴１３が形成されている。第１の本体をベースＢ内に挿入してこの中に締結すると、そのウイングは、ベースＢの表面と同一平面内に位置する。
【００１６】
同様に、第２の本体１１は、中空円筒形部分を有し、この中空円筒形部分は、ドアＡに形成された対応の形状の受座内に挿入される。第２の本体の円筒形部分は、本体の軸線と直交したフランジ１４を備え、このフランジには、ドアＡの第２の本体を締結するために用いられる同数のねじ（図示せず）のための２つ又は３つ以上の貫通穴１５が形成されている。第２の本体をドアＡ内に挿入してこの中に締結すると、フランジ１４は、ドアＡの表面と同一平面内に位置する。
【００１７】
本発明の主要な特徴は、ヒンジを構成する部品の連係システムにある。
【００１８】
この点に関し、第１及び第２の本体の円筒形部分は、それぞれ、これらの側壁に開口部１６，１７を備え、２つの開口部は、互いに向かい合っている（図２）。
【００１９】
本発明のヒンジは、第１及び第２の本体の中空円筒形部分内に納められていて、第１及び第２の本体の側方開口部１６，１７を貫通する中間調節ブロック１８を更に有する。
ヒンジの第１の本体の中空部内に収容された中間ブロックの部分は、ブロックを第１の本体に締結するために用いられる第１のねじ２０が挿入された第１の受座１９及びヒンジを調節するために用いられる第２のねじ２２が挿入された第２の受座２１を有する。
【００２０】
中間ブロック１８は、互いに平行であり且つヒンジの第２の本体及び調節ブロック内でそれぞれ回動する好ましくは直線状の１対のレバー２３及びこれら直線状レバー相互間に介在して配置されると共にヒンジの第１の本体及び調節ブロック内でそれぞれ回動する好ましくは弧状のレバー２４によってヒンジの第２の本体１１に連結されている。
【００２１】
当然のことながら、レバー２３，２４は、これらが以下に説明するように必要な機能を維持することを条件として、異なる形状を有していても良い。レバー２３は又、単一部品で作られても良く、或いは、別の横方向ピンで互いに連結されても良い。さらに、レバー２３，２４は、レバー２３を２つのレバー２４相互間に介在して配置させることができるという意味で、これらの相互位置が互いに逆であっても良い。
【００２２】
各直線状レバー２３は、一端が第１のピン２５に回転可能にヒンジ留めされており、第１のピン２５は、中間ブロックの逆Ｕ字形状の延長部２６内に挿入され、関連の穴２７（図２では１つしか示されていない）を貫通している。逆Ｕ字形のこの延長部は、ヒンジの第２の本体のフランジ１４の表面と同一平面内に位置するようヒンジの第２の本体の中空部内に収容されている。
【００２３】
直線状レバーの互いに反対側の端部は、第２のピン２８に回転可能に枢着されており、第２のピン２８は、ヒンジの第２の本体の円筒形部分に締結されると共に関連の穴２９（図２では１つしか示されていない）を貫通している。
【００２４】
２つの直線状レバー２３相互間に配置された弧状レバー２４は、第３のピン３０に回転可能に枢着された端部を有している。この第３のピン３０は、ヒンジの第２の本体１１の円筒形部分に締結され、弧状レバー２４の他端部は、中間ブロック１８に締結されると共に関連の穴３２（図２では１つしか示されていない）を貫通した第４のピン３１に枢着されている。
【００２５】
本発明のヒンジを構成する要素又は部品の特定の形状及びこれらの関節連結部は、家具エレメントのドアを家具エレメントのベースに整列させるよう家具エレメントのドアを開くことができるようにするヒンジを実現するという所望の結果をもたらす。
【００２６】
加うるに、図３〜図５に示されているように、ドアＡの下端部及び上端部は、それぞれ、ドアの開閉動作中、家具エレメントのベースＢの底面の上方及び家具エレメントの頂壁（Ｔ）の上面の下方に位置したままである。
【００２７】
この特徴は、ピン２５，２８，３０，３１の相対位置の結果として得られる。具体的に説明すると、ピン２８は、固定ピン２５の高さ位置よりも低い高さ位置に常時あり、そして、この固定ピン２５回りに制限された円弧にわたり旋回する。ピン３０は、固定ピン３１回りに旋回し、端が固定ピン２５の高さ位置よりも常時低い位置にある円弧を描く（図３〜図５を比較参照されたい）。
【００２８】
この新規な解決手段により、フラップドアを備えた家具エレメントを互いに上下に積み重ねることができると共にこれら家具エレメントをどのようなトップ又は上部にも載せることができ、ドアの動作が邪魔されないようになる。
【００２９】
本発明のヒンジの別の特徴は、ヒンジの第１の本体１０が蓋３３を備え、蓋３３が本体それ自体の２つのウイング１２相互間の空間を完全に閉鎖することにある。蓋３３は、好ましくは、第２の本体と反対側の第１の本体の側にヒンジ留めされ、この蓋をＣ字形ばね３４の作用に抗して閉鎖状態にスナップ嵌め可能である。ばねは、その中間側部が第１の本体内のフック３５に嵌合状態で結合され、その端部が蓋の自由縁部に当たった状態で作用する。
【００３０】
かくして、蓋３３は、ヒンジの締結ねじ２０及び調節ねじ２２を保護すると共にこれらを覆い隠し、この蓋は、第１の本体のウイング１２と同一平面内に位置する。このように、ヒンジの外面は、完全に平らであり、それにより、家具エレメントの内壁の障害物をなくすことができる。
【００３１】
当然のことながら、ヒンジの中間ブロック１８の逆Ｕ字形の延長部は、第２の本体の回転を可能にする必要があるので、ヒンジの第２の本体の中空部を完全には閉鎖することはない。
【００３２】
図３は、フラップドアが完全開放位置にある本発明のヒンジの断面側面図であり、図３は、家具エレメントのドアＡとベースＢが実質的に同一平面内に位置している状態を示している。湾曲レバー２４は、固定ピン３１回りに反時計回りの方向に完全に回される。第１の本体１０と第２の本体１１は、互いに整列する。
【００３３】
図４及び図５は、ドアＡの開放位置と閉鎖位置との間の２つの中間動作位置にある状態で示された本発明のヒンジの断面側面図である。湾曲レバー２４は、図３の位置と比較して、固定ピン３１回りに時計回りの方向に部分的に回されている。第２の本体１１は、固定ピン３１回りに反時計回りの方向に部分的に回されている。
【００３４】
図６は、フラップドアＡが家具エレメントのベースＢと直交した完全閉鎖位置にある状態の本発明のヒンジの断面側面図である。湾曲レバー２４は、図２の中間開放位置と比較して、固定ピン３１回りに更に時計回りの方向に回されている。
【００３５】
本発明のヒンジの別の改良例では、調節ねじ２２は、ヒンジの第１の本体１０の表面部分３７と協働するのに適した先端部３６を備えるのが良く、この表面部分は、場合によっては凹んでおり又は波形である。この細部は、ヒンジの２つの本体１０，１１がドアの特定の動作条件の間、互いに滑って外れる恐れをなくす。
【００３６】
かくして、本発明のヒンジは、現在使用中の家具フラップドア用のヒンジの問題を解決する。当然のことながら、上述の解決手段は、特許請求の範囲に記載された本発明の保護範囲から逸脱することなく、改造可能である。
【００３７】
例えば、ドアの開放又は閉鎖回転運動中におけるドアの縁がたとえドア及び壁の厚さが異なる場合であっても家具エレメントの基準面を超えて邪魔にならないところに位置したままであるようにするために、薄いシムを第１の本体１０のウイング１２の下に取り付けるのが良い。加うるに、調節ブロック１８の寸法も又、ドアの回転の適正な調節を可能にするよう適切に変更可能である。
【００３８】
このように、ドア及び家具壁の厚さに関する広汎な組み合わせが本発明の範囲に含まれ、かくして、フラップドアの最適な動作及び位置合わせが可能である。
【符号の説明】
【００３９】
１０，１１  中空本体
１６，１７  孔
１８  中間調節ブロック
２１  受座
２２  ねじ
２３，２４  レバー
２８，３０，３１  ピボット
３３  カバー
Ａ  フラップドア
Ｂ  家具のベース
Ｔ  頂壁
【図１】
2012207524.tif 000003
【図２】
2012207524.tif 000004
【図３】
2012207524.tif 000005
【図４】
2012207524.tif 000006
【図５】
2012207524.tif 000007
【図６】
2012207524.tif 000008